(57)【要約】      （修正有）【課題】吸引装置を大型化せずに従来より強い空気圧をゴミに吹き付けることが可能な清掃用アタッチメントを提供する。【解決手段】レンズ交換式デジタルカメラのカメラボディ１０のマウント部に、交換式レンズ鏡筒に代えて着脱可能な清掃用アタッチメントにおいて、撮像素子要素前面と前後方向に対向する対向部材４３と、対向部材の後面に形成された撮像素子要素前面との間にカメラ光軸に対して直交する径方向流路Ｌ２を形成する撮像素子要素前面と平行な径方向流路形成面４６と、この径方向流路形成面に開口する吸引口４７と、該吸引口に接続され、上記径方向流路から吸引口に流れる空気流を生じさせる吸引装置と、を備える。【選択図】図３
2007189670.tif 000002
【特許請求の範囲】
【請求項１】
レンズ交換式デジタルカメラのカメラボディのマウント部に、交換式レンズ鏡筒に代えて着脱可能な、該カメラボディに内蔵された撮像素子要素の扁平な前面に付着したゴミを除去するための清掃用アタッチメントにおいて、
上記撮像素子要素前面と前後方向に対向する対向部材と、
該対向部材の後面に形成された、上記撮像素子要素前面との間にカメラ光軸に対して直交する径方向流路を形成する上記撮像素子要素前面と平行な径方向流路形成面と、
この径方向流路形成面に開口する吸引口と、
該吸引口に接続され、上記径方向流路から吸引口に流れる空気流を生じさせる吸引装置と、
を備えたことを特徴とする清掃アタッチメント。
【請求項２】
請求項１記載の清掃アタッチメントにおいて、
上記対向部材の周囲に周囲枠が配設され、
上記対向部材の外周面に、該周囲枠の内周面との間に上記径方向流路に連通する外側流路を形成する外側流路形成面が形成された清掃アタッチメント。
【請求項３】
請求項２記載の清掃アタッチメントにおいて、
上記外側流路と径方向流路は、外側流路、径方向流路の順に流速を増す態様で形成されている清掃アタッチメント。
【請求項４】
請求項１から３のいずれか１項記載の清掃用アタッチメントにおいて、
上記外側流路形成面の上記径方向流路との接続部が曲面となっている清掃用アタッチメント。
【請求項５】
請求項１から４のいずれか１項記載の清掃用アタッチメントにおいて、
上記吸引口を上記径方向流路形成面の中央部から離れた位置に設けた清掃用アタッチメント。
【請求項６】
請求項１から４のいずれか１項記載の清掃アタッチメントにおいて、
上記マウント部に着脱自在に装着される接続体を備え、
該接続体に上記対向部材を支持した清掃アタッチメント。
【請求項７】
請求項６記載の清掃アタッチメントにおいて、
上記接続体に対して移動不能な支持枠を備え、
上記対向部材が該支持枠に、上記撮像素子要素前面に対して接近及び離間する方向に相対移動可能として支持されており、
上記対向部材は上記撮像素子要素前面に対する接近端から離れる方向に移動付勢され、
さらに、上記対向部材が上記接近端に移動したときに上記対向部材と上記撮像素子要素前面との間隔を一定距離に保持するストッパ機構を有する清掃アタッチメント。
【請求項８】
請求項６または７記載の清掃用アタッチメントにおいて、
上記接続体が、上記マウント部側と反対側の端部が閉塞する有底筒状のフードである清掃用アタッチメント。
【請求項９】
請求項１から８のいずれか１項記載の清掃用アタッチメントにおいて、
上記撮像素子要素前面の撮像素子の撮像領域の周辺部と対向する部分に当接することにより、該撮像素子要素前面と上記径方向流路形成面との間に上記径方向流路を形成する流路形成用スペーサを上記径方向流路形成面に突設した清掃用アタッチメント。
【請求項１０】
レンズ交換式デジタルカメラのカメラボディのマウント部に、交換式レンズ鏡筒に代えて着脱可能な、該カメラボディに内蔵された撮像素子要素の扁平な前面に付着したゴミを除去するための清掃用アタッチメントにおいて、
上記撮像素子要素前面と前後方向に対向する対向部材と、
該対向部材の周囲に位置し、上記対向部材との間に、該対向部材を挟んで互いに反対側に位置する第１外側流路及び第２外側流路を形成する周囲枠と、
該対向部材の後面に形成された、上記撮像素子要素前面との間にカメラ光軸に対して直交しかつ上記第１外側流路及び第２外側流路と連通する径方向流路を形成する上記撮像素子要素前面と平行な径方向流路形成面と、
上記第２外側流路と連通し、上記第１外側流路、径方向流路、第２外側流路の順に流れる空気流を生じさせる吸引装置と、を備え、
上記第１外側流路と径方向流路は、第１外側流路、径方向流路の順に流速を増す態様で形成されていることを特徴とする清掃アタッチメント。
【請求項１１】
請求項１０記載の清掃アタッチメントにおいて、
上記マウント部に着脱自在に装着される接続体を備え、
該接続体に上記対向部材を支持した清掃アタッチメント。
【請求項１２】
請求項１１記載の清掃アタッチメントにおいて、
上記接続体に対して移動不能な支持枠を備え、
上記対向部材が該支持枠に、上記撮像素子要素前面に対して接近及び離間する方向に相対移動可能として支持されており、
上記対向部材は上記撮像素子要素前面に接近する方向に移動付勢され、
さらに、上記対向部材と一緒に移動し、上記上記撮像素子要素前面と当接することにより、上記対向部材の上記径方向流路形成面を上記撮像素子要素前面から離間させ、該径方向流路形成面と上記撮像素子要素前面の間に上記径方向流路を形成するストッパ手段（７２）を有する清掃アタッチメント。
【請求項１３】
請求項１１または１２記載の清掃用アタッチメントにおいて、
上記接続体が、上記マウント部側と反対側の端部が閉塞する有底筒状のフードである清掃用アタッチメント。
【請求項１４】
請求項１０から１３のいずれか１項記載の清掃用アタッチメントにおいて、
上記第１外側流路及び第２外側流路の上記径方向流路との接続部が曲面となっている清掃用アタッチメント。
【発明の詳細な説明】
【技術分野】
【０００１】
本発明は、交換式レンズ鏡筒を取り外した状態のデジタルカメラのカメラボディに装着され、カメラボディに内蔵された撮像素子（またはその直前に位置する被覆光学素子）の前面のゴミを除去する清掃用アタッチメントに関する。
【背景技術】
【０００２】
上記のような清掃用アタッチメントの従来技術としては、例えば特許文献１に記載されたものがある。この特許文献１のアタッチメントは、送風装置と、撮像素子の直前に位置し送風装置で発生した空気を噴射する空気ノズルと、を有している。そして、送風装置で発生した空気を空気ノズルから噴射し、この空気圧によって撮像素子の直前に位置する光学ローパスフィルタに付着しているゴミを除去する。
【特許文献１】特開２００５−２４９０５号公報
【発明の開示】
【発明が解決しようとする課題】
【０００３】
上記ゴミは静電気や分子間力によって光学ローパスフィルタに付着しているので、単に空気ノズルから空気を噴射しただけでは除去するのが難しく、確実に除去するためには送風装置を大型化する必要があった。
【０００４】
しかし、送風装置を大型化すると、清掃用アタッチメントが大型化するとともに製造コストが高くなってしまう。
【０００５】
本発明の目的は、吸引装置を大型化せずに従来より強い空気圧をゴミに吹き付けることが可能な清掃用アタッチメントを提供することにある。
【課題を解決するための手段】
【０００６】
本発明の清掃用アタッチメントは、第１の態様によると、レンズ交換式デジタルカメラのカメラボディのマウント部に、交換式レンズ鏡筒に代えて着脱可能な、該カメラボディに内蔵された撮像素子要素の扁平な前面に付着したゴミを除去するための清掃用アタッチメントにおいて、上記撮像素子要素前面と前後方向に対向する対向部材と、該対向部材の後面に形成された、上記撮像素子要素前面との間にカメラ光軸に対して直交する径方向流路を形成する上記撮像素子要素前面と平行な径方向流路形成面と、この径方向流路形成面に開口する吸引口と、該吸引口に接続され、上記径方向流路から吸引口に流れる空気流を生じさせる吸引装置と、を備えたことを特徴としている。
【０００７】
上記対向部材の周囲に周囲枠が配設され、上記対向部材の外周面に、該周囲枠の内周面との間に上記径方向流路に連通する外側流路を形成する外側流路形成面が形成されるようにしてもよい。
【０００８】
上記外側流路と径方向流路は、外側流路、径方向流路の順に流速を増す態様で形成されている。
【０００９】
上記外側流路形成面の上記径方向流路との接続部が曲面となっているのが好ましい。
【００１０】
上記吸引口を上記径方向流路形成面の中央部から離れた位置に設けてもよい。
【００１１】
上記マウント部に着脱自在に装着される接続体を備え、該接続体に上記対向部材を支持してもよい。
【００１２】
上記接続体に対して移動不能な支持枠を備え、上記対向部材が該支持枠に、上記撮像素子要素前面に対して接近及び離間する方向に相対移動可能として支持されており、上記対向部材は上記撮像素子要素前面に対する接近端から離れる方向に移動付勢され、さらに、上記対向部材が上記接近端に移動したときに上記対向部材と上記撮像素子要素前面との間隔を一定距離に保持するストッパ機構を有する構成としてもよい。
【００１３】
上記接続体が、上記マウント部側と反対側の端部が閉塞する有底筒状のフードであるのが好ましい。
【００１４】
上記撮像素子要素前面の撮像素子の撮像領域の周辺部と対向する部分に当接することにより、該撮像素子要素前面と上記径方向流路形成面との間に上記径方向流路を形成する流路形成用スペーサを上記径方向流路形成面に突設してもよい。
【００１５】
本発明の清掃用アタッチメントは、第２の態様によると、レンズ交換式デジタルカメラのカメラボディのマウント部に、交換式レンズ鏡筒に代えて着脱可能な、該カメラボディに内蔵された撮像素子要素の扁平な前面に付着したゴミを除去するための清掃用アタッチメントにおいて、上記撮像素子要素前面と前後方向に対向する対向部材と、該対向部材の周囲に位置し、上記対向部材との間に、該対向部材を挟んで互いに反対側に位置する第１外側流路及び第２外側流路を形成する周囲枠と、該対向部材の後面に形成された、上記撮像素子要素前面との間にカメラ光軸に対して直交しかつ上記第１外側流路及び第２外側流路と連通する径方向流路を形成する上記撮像素子要素前面と平行な径方向流路形成面と、上記第２外側流路と連通し、上記第１外側流路、径方向流路、第２外側流路の順に流れる空気流を生じさせる吸引装置と、を備え、上記第１外側流路と径方向流路は、第１外側流路、径方向流路の順に流速を増す態様で形成されていることを特徴としている。
【００１６】
この態様でも、上記マウント部に着脱自在に装着される接続体を備え、該接続体に上記対向部材を支持してもよい。
【００１７】
また、上記接続体に対して移動不能な支持枠を備え、上記対向部材が該支持枠に、上記撮像素子要素前面に対して接近及び離間する方向に相対移動可能として支持されており、上記対向部材は上記撮像素子要素前面に接近する方向に移動付勢され、さらに、上記対向部材と一緒に移動し、上記上記撮像素子要素前面と当接することにより、上記対向部材の上記径方向流路形成面を上記撮像素子要素前面から離間させ、該径方向流路形成面と上記撮像素子要素前面の間に上記径方向流路を形成するストッパ手段を有する構成としてもよい。
【００１８】
さらに、上記接続体が、上記マウント部側と反対側の端部が閉塞する有底筒状のフードであるのが好ましい。
【００１９】
上記第１外側流路及び第２外側流路の上記径方向流路との接続部が曲面となっているのが好ましい。
【発明の効果】
【００２０】
本発明のカメラ光軸に対して直交する径方向流路は、その外周縁部側から吸引口側に向かうにつれて空気流通方向に直交する断面積が徐々に減少する。従って、径方向流路を流れる空気流は、ベルヌーイ効果に従って吸引口に向かうにつれて徐々に増速する（Ｑ（流量）＝Ａ（断面積）×Ｖ（流速）で表現されるので、流量Ｑが一定ならば断面積Ａが小さいほど速度Ｖは速くなる）。そして、この増速した空気流によって撮像素子要素の前面に付着したゴミを除去するので、吸引装置を大型化しなくてもゴミを効果的に除去できる。
【００２１】
さらに外側流路から径方向流路に流れ込む空気の流速を増大させれば、ゴミ除去効果が
さらに増大する。
【００２２】
また対向部材が撮像素子要素に対して接近及び離間する方向に移動可能な場合は、径方向流路を高速の空気流が流れると径方向流路の気圧が低下するので対向部材が撮像素子要素の前面に接近しようとするが、ストッパ機構またはスペーサを設ければ、径方向流路形成面と撮像素子要素前面との隙間を一定間隔に確実に確保できると共に、径方向流路形成面と撮像素子要素前面の接触を防止できる。
【発明を実施するための最良の形態】
【００２３】
以下、本発明の第１の実施形態について添付図面を参照しながら説明する。なお以下の説明中ではカメラの被写体側を「前方」とし結像面側を「後方」として説明する。
【００２４】
まず、本発明である清掃用アタッチメント３０を装着する一眼レフタイプのデジタルカメラのカメラボディ１０の構造について説明する。
【００２５】
カメラボディ１０の前面に形成された円形の開口孔１１の周縁部には、正面視環状のマウント部１２が形成されている。このマウント部１２は図示を省略した交換式レンズ鏡筒及び清掃用アタッチメント３０を着脱自在に接続するためのものである。図１の符合Ｏは、交換式レンズ鏡筒をマウント部１２に装着したときの交換式レンズ鏡筒のレンズ群の光軸位置を示している。カメラボディ１０の内部空間の後壁にはホルダ１３が固定されており、このホルダ１３によって撮像素子１４と、撮像素子１４の直前に位置して撮像素子１４の前面を覆う被覆光学素子１６（例えば、光学ローパスフィルタ、赤外線カットフィルタ、カバーガラス等）が支持されている（撮像素子１４及び被覆光学素子１６が撮像素子要素である）。撮像面１５及び被覆光学素子１６の前面は共に図１の光軸Ｏに対して直交する平面である。
【００２６】
カメラボディ１０の内部の上端部にはプリズム１７が配設されている。さらに、プリズム１７の直後にはアイピース１８が配設されており、カメラボディ１０の後面のアイピース１８の直後にはファインダ窓１９が設けられている（プリズム１７、アイピース１８及びファインダ窓１９はファインダ光学系の構成要素である）。カメラボディ１０の左右の側壁の間に架設された枢着軸２０には、枢着軸２０回りに回転可能なミラー２１の上端部が回転可能に枢着されている。ミラー２１は、シャッターボタン（図示略）を押す前においては、光軸Ｏと干渉する位置まで回転移動して（図示略）、交換式レンズ鏡筒のレンズ群を透過した光束をプリズム１７側に反射してファインダ窓１９によって視認可能にする。一方、シャッターボタンを押すと、この押し動作に連動してミラー２１は図１の位置に移動し、交換式レンズ鏡筒のレンズ群を透過した像を撮像素子１４で撮像可能にする。さらにホルダ１３の前方には複数のシャッター羽根ＳＨからなるシャッターが設けられている（図示されたシャッターは全開状態である）。
【００２７】
次に清掃用アタッチメント３０の構造について説明する。
清掃用アタッチメント３０は前端が閉塞する円筒形状のフード部（接続体）３１を具備している。フード部３１の後端部は開放しており、この後端部にはカメラボディ１０のマウント部１２と着脱自在に結合するマウント部３２が設けられている。フード部３１の内周面には、フード部３１をマウント部１２に装着したときに光軸Ｏに対して直交する中板３３が固着されている。中板３３の後面の略中央部には吸引装置３５が固着されている。さらに中板３３の後面には方形枠状で前後両端が開口する方形枠体３６の前端面が固着されている。この方形枠体３６には、方形枠体３６の内外を連通させるための連通孔３６ａ（図１参照）が穿設されている。
【００２８】
図２に詳しく示すように、方形枠体３６の後端面には正面視で矩形をなす周囲枠３７の前面が固着されている。周囲枠３７の後端部近傍には上下一対のストッパ孔（ストッパ機構）３８が穿設されている。
【００２９】
吸引装置３５には支持筒４０が接続されている。支持筒４０の外周面には周囲枠３７の内側に位置する有底筒状の支持枠４１が一体的に設けられている。支持枠４１の外周面前端と周囲枠３７の内周面前端の間は８本の連結片３９によって連結されている。即ち、周囲枠３７、連結片３９、支持筒４０及び支持枠４１は一体成形により得られた一体物である。さらに各連結片３９によって区切られた周囲枠３７の前端部と支持枠４１の前端部の間の８つの空間（孔）には微小なゴミや埃を捕捉するためのフィルタＦ１が嵌合固定されている。
【００３０】
支持枠４１の外周面と周囲枠３７の内周面との間には、図４に示すように正面視で矩形をなす隙間が形成されている。支持枠４１の外周面には内側枠（対向部材）４３がスライド自在に嵌合している。内側枠４３の外周面は周囲枠３７の内周面との間に外側流路Ｌ１を形成する外側流路形成面４４となっている。さらに内側枠４３の中央部には前方に向かって延出する中央筒部４５が一体的に形成されており、中央筒部４５の前端部が支持筒４０の内周面に摺動自在に嵌合している。この中央筒部４５及び支持筒４０の内部空間が中心流路を形成している。
【００３１】
内側枠４３の後端面は、清掃用アタッチメント３０のカメラボディ１０への装着状態において被覆光学素子１６と平行をなす平面である（外側流路形成面４４に対して略直交する）径方向流路形成面４６を構成している。この径方向流路形成面４６は、清掃用アタッチメント３０のカメラボディ１０への装着状態において被覆光学素子１６の前面との間に径方向流路Ｌ２（光軸Ｏに対して直交する）を形成する。径方向流路形成面４６の中央部には中央筒部４５の後端開口である吸引口４７が形成されている。図示するように内側枠４３の後端側の外周縁部（接続部）４８は曲面形状に加工されている（この外周縁部４８は外側流路形成面４４の一部である）。
【００３２】
外側流路形成面４４の上下２カ所（各ストッパ孔３８と対向する位置）には、前後方向に延出する仕切板４９が突設されている。各仕切板４９の後端部には対応するストッパ孔３８にスライド自在に嵌合するストッパ（ストッパ機構）５０が突設されている。即ち、内側枠４３は各ストッパ５０が各ストッパ孔３８の前端面に当接する前端位置（図２の位置）と各ストッパ孔３８の後端面に当接する後端位置（接近端。図３の位置）との間を周囲枠３７及び支持枠４１に対して前後方向にスライド可能である。さらに支持枠４１の底部と内側枠４３の後壁部には引張ばね（付勢手段）Ｓ１の両端部が固着されており、この引張ばねＳ１の引張力によって内側枠４３は常に前方に移動付勢されている。
【００３３】
次に以上構成の清掃用アタッチメント３０を用いた被覆光学素子１６の前面の清掃要領について説明する。
【００３４】
まず交換式レンズ鏡筒を取り外したカメラボディ１０の操作ダイヤル（図示略）を回転操作して清掃モードを選択する。すると、ミラー２１が図１の位置まで跳ね上がり、シャッター羽根ＳＨが全開状態になる。次いで、カメラボディ１０のマウント部１２に清掃用アタッチメント３０のマウント部３２を結合して清掃用アタッチメント３０をカメラボディ１０に装着する。清掃用アタッチメント３０を装着するとフード部３１によって外部のゴミや埃がカメラボディ１０の内部に進入するのが防止される。そして、図２及び図３に示すように、周囲枠３７の後端部が全開状態のシャッターの開口孔を通過し、周囲枠３７の後端面が被覆光学素子１６に接近する（図示するように周囲枠３７の後端面と被覆光学素子１６の前面の間隔は微小間隔である）。
【００３５】
さらに、清掃用アタッチメント３０を装着すると、図２に示すように径方向流路形成面４６が被覆光学素子１６の前面と平行状態で接近し、被覆光学素子１６との間に径方向流路Ｌ２を形成する。さらに、清掃用アタッチメント３０を装着する以前から、内側枠４３（外側流路形成面４４及び外周縁部４８）と周囲枠３７の間には外側流路Ｌ１が形成されている。
【００３６】
図２の状態で吸引装置３５を作動させると、吸引装置３５で生じた負圧によって方形枠体３６の外側の空間の空気が連通孔３６ａを通って方形枠体３６の内部に進入し、さらにこの空気流が図３の矢印方向に流れる。即ち、空気は外側流路Ｌ１を通って径方向流路Ｌ２に流れ、さらに吸引口４７から中央筒部４５及び支持筒４０（中心流路）に流れ最終的に吸引装置３５に吸引される。この際、この空気は外周縁部４８の曲面に沿っていわゆるコアンダ効果を生じながら外側流路Ｌ１から径方向流路Ｌ２に流れるので、この空気は外側流路Ｌ１から径方向流路Ｌ２に効率よく流れる。
【００３７】
そして、外側流路Ｌ１の空気流通方向に直交する断面積（図５に符合Ｌ１で示された部分の合計。外周縁部４８と周囲枠３７の間に形成される外側流路Ｌ１も同様の大きさである）より、径方向流路Ｌ２の空気流通方向に直交する断面積が小さくなるように外側流路Ｌ１及び径方向流路Ｌ２の形状が設定されている。具体的には、外側流路Ｌ１の空気流通方向に直交する断面積はＣＡ１であり、径方向流路Ｌ２の外周縁部における空気流通方向に直交する断面積はＣＡ２であり、ＣＡ１＞ＣＡ２である。従って、外側流路Ｌ１から径方向流路Ｌ２の外周縁部へ空気が流れ込むとき、空気の流速が流路断面積減少により増速する（ベルヌーイ効果）。即ち、外側流路Ｌ１を流れる流速をＶ１、径方向流路Ｌ２の外周縁部を流れる流速をＶ２とすると、Ｖ２＞Ｖ１となる。
【００３８】
さらに図６に示すように、径方向流路Ｌ２における空気流通方向に直交する断面積は、径方向流路Ｌ２（径方向流路形成面４６）の外周縁部から吸引口４７（中心流路）に向かうについて徐々に小さくなる。図６のＰ１、Ｐ２、Ｐ３は吸引口４７を中心とする同心円である。Ｐ１における上記断面積はＣＡ３、Ｐ２における上記断面積はＣＡ４、Ｐ３における上記断面積はＣＡ５であり、ＣＡ１＞ＣＡ２＞ＣＡ３＞ＣＡ４＞ＣＡ５である。従って、Ｐ１を流れる空気の流速をＶ３、Ｐ２を流れる空気の流速をＶ４、Ｐ３を流れる空気の流速をＶ５とすると、Ｖ５＞Ｖ４＞Ｖ３＞Ｖ２＞Ｖ１となる。
【００３９】
このように流速がＶ２、Ｖ３、Ｖ４、Ｖ５に増速された空気流によって被覆光学素子１６の前面のゴミが除去されるので、吸引装置３５を大型化して大きな吸引力を発生させなくても被覆光学素子１６の前面のゴミを確実に除去できる。
【００４０】
さらに径方向流路Ｌ２を空気が流速Ｖ２、Ｖ３、Ｖ４、Ｖ５で通過することにより、径方向流路Ｌ２の気圧が吸引装置３５の始動前に比べて低下する。その結果、内側枠４３が引張ばねＳ１の引張り力に抗して上記後端位置まで後方に移動し図３の状態になる。このように径方向流路Ｌ２の幅がさらに狭くなると、径方向流路Ｌ２を通過する空気の流速は内側枠４３が後方に移動する前に比べて速くなるので、被覆光学素子１６の前面のゴミがさらに効果的に除去される。
【００４１】
次に、本発明の第２の実施形態について図７から図１１を参照しながら説明する。なお、第１の実施形態と同じ部材には同じ符号を付すに止めて、その詳細な説明は省略する。
本実施形態の清掃用アタッチメント６０は、方形枠体３６の後面に固定された支持枠体６１を具備している。
この支持枠体６１は、方形枠体３６の後端面に固定された平板状の固定部６２を有しており、この固定部６２の後面には外側方形枠部６３が一体的に突設されている。さらに固定部６２の後面には、互いに平行な一対の流路形成側壁部６４と、一対の流路形成側壁部６４の一方の端部の間を閉塞する終端壁部６５が一体的に突設されており、一対の流路形成側壁部６４及び終端壁部６５の後面には平板状の支持部６６が一体的に連設されている。さらに、支持部６６の後面の外周縁部には内側方形枠部（支持枠）６７が後方に向けて一体的に突設されている。
固定部６２には一対の流路形成側壁部６４の間に位置する貫通孔６８が穿設されており、この貫通孔６８にはフィルタＦ２が嵌合固定されている。また、固定部６２には貫通孔６９が穿設されており、この貫通孔６９にはフィルタＦ３が嵌合固定されている。さらに、一対の流路形成側壁部６４、終端壁部６５及び支持部６６の間に形成された流路内にはファン（吸引装置）７０が配設されている。さらに、外側方形枠部６３には周方向に並べて前後方向に延びる計１２個の案内支持孔７１が穿設されている。
【００４２】
図７に示すように、支持枠体６１の外側方形枠部６３と内側方形枠部６７の間には正面視方形の隙間が形成されており、この隙間には一体化した外側枠（周囲枠）（ストッパ手段）７２と内側枠（対向部材）７３が前後方向にスライド可能に嵌合している。
外側枠７２はその外周面が外側方形枠部６３の内周面にスライド可能に接触する枠体であり、その外周面の各案内支持孔７１と対応する位置には、各案内支持孔７１に前後方向にスライド可能に係合する計１２個の案内突起７４が突設されている。
図７に示すように、内側枠７３の左右両側面は外側枠７２の左右の側壁内面に隙間なく固着されている。内側枠７３の下面をなす第１外側流路形成面７６と外側枠７２の下壁部の間には第１外側流路Ｌ３が形成されており、内側枠７３の上面をなす第２外側流路形成面７７と外側枠７２の上壁部の間には第２外側流路Ｌ４が形成されている。内側枠７３の後面は被覆光学素子１６と平行な平面である径方向流路形成面７８を構成している。さらに、内側枠７３の外周縁部（径方向流路形成面７８と第１外側流路形成面７６の接続部及び第２外側流路形成面７７の接続部。第１外側流路形成面７６と第２外側流路形成面７７の一部）７９は第１の実施形態の外周縁部４８と同様に曲面形状に加工されている。図示するように、支持部６６の後面と内側枠７３の後壁部内面の間には圧縮ばねＳ２が縮設されている。従って、図８に示すように、外側枠７２及び内側枠７３は圧縮ばねＳ２により案内突起７４が案内支持孔７１の後端に接触するまで移動付勢されている。
【００４３】
次に以上構成の清掃用アタッチメント６０を用いた被覆光学素子１６の前面の清掃要領について説明する。
まず交換式レンズ鏡筒を取り外したカメラボディ１０の操作ダイヤルを回転操作して清掃モードを選択し、ミラー２１を図１の位置まで跳ね上げ、かつシャッター羽根ＳＨを全開状態に移行させる。次いでカメラボディ１０のマウント部１２に清掃用アタッチメント６０のマウント部３２を結合すると、図９から図１１に示すように、外側枠７２の後端部が全開状態のシャッターの開口孔を通過し、外側枠７２の後端面が被覆光学素子１６に当接する。すると、図９から図１１に示すように、外側枠７２及び内側枠７３が圧縮ばねＳ２の付勢力に抗して外側方形枠部６３に対して前方に移動し、平行状態で接近した内側枠７３の径方向流路形成面７８と被覆光学素子１６の前面の間に径方向流路Ｌ５が形成される。
【００４４】
図９の状態でファン７０を作動させると、ファン７０で生じた負圧によって方形枠体３６の外側の空気が連通孔３６ａを通って方形枠体３６の内部に進入し、さらにこの空気流が図９の矢印方向に流れる。即ち、空気は第１外側流路Ｌ３を通って径方向流路Ｌ５、第２外側流路Ｌ４の順に流れ（図９と図１１の矢印参照）、さらにファン７０を通ってフィルタＦ２から方形枠体３６内に流れる。この際、この空気流は外周縁部７９の曲面に沿っていわゆるコアンダ効果を生じながら第１外側流路Ｌ３から径方向流路Ｌ５に流れ、さらに径方向流路Ｌ５から第２外側流路Ｌ４に流れるので、この空気流は第１外側流路Ｌ３から第２外側流路Ｌ４に効率よく流れる。
【００４５】
そして、本実施形態においても第１外側流路Ｌ３及び第２外側流路Ｌ４の空気流通方向に直交する断面積（外周縁部７９と外側枠７２の間に形成される第１外側流路Ｌ３及び第２外側流路Ｌ４の断面積も含む）より径方向流路Ｌ５の空気流通方向に直交する断面積が小さくなるように第１外側流路Ｌ３、第２外側流路Ｌ４及び径方向流路Ｌ５の形状が設定されている。従って、第１外側流路Ｌ３から径方向流路Ｌ５の外周縁部へ空気が流れ込むとき、空気の流速が流路断面積減少により増速するので、第１外側流路Ｌ３を流れる流速をＶ１、径方向流路Ｌ５の外周縁部を流れる流速をＶ２とすると、Ｖ２＞Ｖ１となる。
このように流速がＶ１からＶ２に増速された空気流によって被覆光学素子１６の前面のゴミが除去されるので、第１の実施形態と同じく、ファン７０を大型化して大きな吸引力を発生させなくても被覆光学素子１６の前面のゴミを確実に除去できる。
【００４６】
以上、本発明を上記実施形態について説明したが、本発明は上記実施形態に限定されるものではなく、様々な変更を施して実施可能である。
【００４７】
例えば第１の実施形態において、図１２に示すように径方向流路形成面４６の中央から側方にずらした位置に２つの吸引口５１を設けても良い（図示は省略してあるがこの吸引口５１は吸引装置３５と繋がっている）。吸引口５１を設けた部分は、吸引口５１を形成しない場合に空気流の流れが止まる可能性がある箇所であり、仮にこの部分で空気流の流れが止まると被覆光学素子１６の前面の吸引口５１との対向部分（画質に大きな影響が及ぶ部分）にゴミが残ってしまう。しかし、このように２つの吸引口５１を形成すれば被覆光学素子１６のこの部分にゴミが残るのを効果的に防止できる。
【００４８】
さらに上記実施形態または図１２の変形例において、図１３及び図１４に示すように径方向流路形成面４６の外周縁部（撮像面１５の撮像領域の周辺部と対向する部分）に、外側流路Ｌ１の気圧が低下して内側枠４３が被覆光学素子１６側に引き寄せられたときに被覆光学素子１６の前面に当接するスペーサ（流路形成用スペーサ）５３を突設してもよい。このようにすると、スペーサ５３の前後方向寸法を任意に設定することにより、径方向流路形成面４６と被覆光学素子１６の間に形成される外側流路Ｌ１の前後幅を所定の任意距離に設定できるので、ゴミの除去効果を調整することが可能になる。
【００４９】
カメラボディ１０が被覆光学素子１６を具備していない場合は、空気流によって撮像素子１４の撮像面１５をクリーニングできるのは勿論である。
【００５０】
さらに支持筒４０をゴム製の接続チューブで代用して実施してもよい。
【図面の簡単な説明】
【００５１】
【図１】本発明の第１の実施形態の清掃用アタッチメントをカメラボディに装着した状態を示す縦断側面図である。
【図２】清掃用アタッチメントのクリーナ部分と光学フィルタ及びその周辺部の拡大縦断側面図である。
【図３】吸引装置を作動させたときの図２と同様の拡大縦断側面図である。
【図４】図２のIV−IV矢線に沿う内側枠を省略して示す断面図である。
【図５】周囲枠と内側枠を撮像素子側から見た背面図である。
【図６】内側枠の背面図であり、径方向流路の各位置における空気流通方向に直交する断面積を説明するための図である。
【図７】本発明の第２の実施形態の清掃用アタッチメントの背面図である。
【図８】図７のVIII−VIII矢線に沿う清掃用アタッチメントの断面図である。
【図９】清掃用アタッチメントをカメラボディに装着した状態を示す縦断側面図である。
【図１０】図９のＸ−Ｘ矢線に沿う清掃用アタッチメントの断面図である。
【図１１】図９のXI−XI矢線に沿う清掃用アタッチメントの断面図である。
【図１２】変形例における図５と同様の背面図である。
【図１３】別の変形例の内側枠と被覆光学素子の拡大縦断側面図である。
【図１４】別の変形例の図５と同様の背面図である。
【符号の説明】
【００５２】
１０    カメラボディ
１１    開口孔
１２    マウント部
１３    ホルダ
１４    撮像素子（撮像素子要素）
１５    撮像面
１６    被覆光学素子（撮像素子要素）
１７    プリズム
１８    アイピース
１９    ファインダ窓
２０    枢着軸
２１    ミラー
３０    清掃用アタッチメント
３１    フード部（接続体）
３２    マウント部
３３    中板
３５    吸引装置
３６    方形枠体
３６ａ  連通孔
３７    周囲枠
３８    ストッパ孔（ストッパ機構）
３９    連結片
４０    支持筒
４１    支持枠
４３    内側枠（対向部材）
４４    外側流路形成面
４５    中央筒部
４６    径方向流路形成面
４７    吸引口
４８    外周縁部（接続部）
４９    仕切板
５０    ストッパ（ストッパ機構）
５１    吸引口
５３    スペーサ（流路形成用スペーサ）
６０    清掃用アタッチメント
６１    支持枠体
６２    固定部
６３    外側方形枠部
６４    流路形成側壁部
６５    終端壁部
６６    支持部
６７    内側方形枠部（支持枠）
６８  ６９  貫通孔
７０    ファン（吸引装置）
７１    案内支持孔
７２    外側枠（周囲枠）（ストッパ手段）
７３    内側枠（対向部材）
７４    案内突起
７６    第１外側流路形成面
７７    第１外側流路形成面
７８    径方向流路形成面
７９    外周縁部（接続部）
Ｆ１  Ｆ２  Ｆ３  フィルタ
Ｓ１    引張ばね（付勢手段）
Ｓ２    圧縮ばね（付勢手段）
ＳＨ    シャッター羽根
Ｌ１    外側流路
Ｌ２    径方向流路
Ｌ３    第１外側流路
Ｌ４    第２外側流路
Ｌ５    径方向流路
【図１】
2007189670.tif 000003
【図２】
2007189670.tif 000004
【図３】
2007189670.tif 000005
【図４】
2007189670.tif 000006
【図５】
2007189670.tif 000007
【図６】
2007189670.tif 000008
【図７】
2007189670.tif 000009
【図８】
2007189670.tif 000010
【図９】
2007189670.tif 000011
【図１０】
2007189670.tif 000012
【図１１】
2007189670.tif 000013
【図１２】
2007189670.tif 000014
【図１３】
2007189670.tif 000015
【図１４】
2007189670.tif 000016